(57)【要約】【課題】苗移植機に使用する所定幅寸法の育苗箱について、育苗箱の供給と播種後の取出しの操作性を確保しつつ、大量かつ安定処理を可能とする簡易な構成の播種機を提供する。【解決手段】播種機は、苗移植機に使用する所定の幅寸法の長方形状の浅底容器をなす育苗箱を一端に受ける搬送装置（２）と、その搬送経路上で上記育苗箱に床土詰、播種、覆土を行う各作業装置（６，７，８）とから構成され、上記搬送装置（２）は、複数の育苗箱を縦長姿勢で並列に搬送する複列搬送用の幅寸法に形成するとともに、この幅寸法の範囲を作用幅として上記各作業装置（６，７，８）を構成することにより、搬送列毎に簡易かつ安定して処理することができる。【選択図】図１
2013110984.tif 000002
【特許請求の範囲】
【請求項１】
苗移植機に使用する所定の幅寸法の長方形状の浅底容器をなす育苗箱を一端に受ける搬送装置（２）と、その搬送経路上で上記育苗箱に床土詰、播種、覆土を行う各作業装置（６，７，８）とからなる播種機において、
上記搬送装置（２）は、複数の育苗箱を縦長姿勢で並列に搬送する複列搬送用の幅寸法に形成するとともに、この幅寸法の範囲を作用幅として上記各作業装置（６，７，８）を構成したことを特徴とする播種機。
【請求項２】
前記搬送装置（２）は、隣接する搬送列間に育苗箱の搬送ガイド（１２）を備えたことを特徴とする請求項１記載の播種機。
【請求項３】
前記播種装置（７）は、繰出溝（６９ａ）を形成した播種ローラ（６９）を備えるとともに、その繰出溝（６９ａ）を並列配置の搬送列毎の作用幅に分割形成したことを特徴とする請求項１または請求項２に記載の播種機。
【請求項４】
前記床土詰装置（６）および覆土装置（８）は、床土または覆土を供給する給土用の繰出ベルト（５５，８５）を備えるとともに、このベルト（５５，８５）による給土範囲を規制する凸部（５５ａ）を隣接する搬送列間位置に設けたことを特徴とする請求項１から請求項３のいずれかに記載の播種機。
【請求項５】
前記搬送装置（２）の一端に搬送列毎の投入口（１４）を備える投入部（１３）と、他端に搬送列毎の取出口（１６）を備える取出部（１５）とを設け、上記投入口（１４）の全幅（Ａ）を前記搬送装置（２）の搬送幅より広く形成するとともに、上記取出口（１６）の全幅（Ｂ）を上記投入口（１４）の全幅（Ａ）より広く形成したことを特徴とする請求項１から請求項４のいずれかに記載の播種機。
【請求項６】
前記取出部（１５）は、前記搬送装置（２）の他端で増速搬送する取出搬送部（３２）と、その終端からその左右いずれかの側方に向かって動作する押出部材（３３）と、それぞれの押出し方向に延びる左右の取出口（３４）とからを形成したことを特徴とする請求項５記載の播種機。
【発明の詳細な説明】
【技術分野】
【０００１】
本発明は、搬送装置に床土詰装置、播種装置、および覆土装置等の作業装置を備えて苗移植機用の育苗箱に播種する播種機に関する。
【背景技術】
【０００２】
育苗箱は、苗移植機に適合する所定幅寸法のマット苗を形成するための所定の長方形状の浅底容器である。播種機は、そのような育苗箱に種籾を播種するために、特許文献１のごとく、育苗箱を搬送するベルト等による搬送装置の搬送経路上にその搬送方向に沿って床土詰装置、播種装置、覆土装置等の作業装置を備えて構成され、さらに、搬送経路の一端に苗箱供給装置を備えた例が知られている。このような構成の播種機は、長方形状の育苗箱をその長手方向に搬送する簡易な構成および育苗箱の供給と播種済み育苗箱の取出しの作業により、搬送行程に沿って安定して床土詰め、播種、覆土等が順次実施されて育苗準備することができる。
【０００３】
しかしながら、上記播種機の搬送速度は、各作業装置による床土詰め、播種、覆土等の精度による動作速度の限度内に規定されることから、所定幅寸法の育苗箱を連続供給しても処理能力に限界があり、したがって、１台の播種機の処理能力を越える作業を要する場合は、複数台の播種機の同時稼動が必要となることから、設備コストと設置スペースのみならず、複数台作業による作業者の負荷増大を招くという問題があった。
【先行技術文献】
【特許文献】
【０００４】
【特許文献１】特開２００９−２９６９７１号公報
【発明の概要】
【発明が解決しようとする課題】
【０００５】
本発明の目的は、苗移植機に使用する所定幅寸法の育苗箱について、育苗箱の供給と播種後の取出しの操作性を確保しつつ、大量かつ安定処理を可能とする簡易な構成の播種機を提供することにある。
【課題を解決するための手段】
【０００６】
請求項１に係る発明は、苗移植機に使用する所定の幅寸法の長方形状の浅底容器をなす育苗箱を一端に受ける搬送装置（２）と、その搬送経路上で上記育苗箱に床土詰め、播種、覆土を行う各作業装置（６，７，８）とからなる播種機において、上記搬送装置（２）は、複数の育苗箱を縦長姿勢で並列に搬送する複列搬送用の幅寸法に形成するとともに、この幅寸法の範囲を作用幅として上記各作業装置（６，７，８）を構成したことを特徴とする。
【０００７】
請求項２に係る発明は、請求項１に係る発明において、前記搬送装置（２）は、隣接する搬送列間に育苗箱の搬送ガイド（１２）を備えたことを特徴とする。
【０００８】
請求項３に係る発明は、請求項１又は請求項２に係る発明において、前記播種装置（７）は、繰出溝（６９ａ）を形成した播種ローラ（６９）を備えるとともに、その繰出溝（６９ａ）を並列配置の搬送列毎の作用幅に分割形成したことを特徴とする。
【０００９】
請求項４に係る発明は、請求項１から請求項３のいずれかに係る発明において、前記床土詰装置（６）および覆土装置（８）は、床土または覆土を供給する給土用の繰出ベルト（５５，８５）を備えるとともに、このベルト（５５，８５）による給土範囲を規制する凸部（５５ａ）を隣接する搬送列間位置に設けたことを特徴とする。
【００１０】
請求項５に係る発明は、請求項１から請求項４のいずれかに係る発明において、前記搬送装置（２）の一端に搬送列毎の投入口（１４）を備える投入部（１３）と、他端に搬送列毎の取出口（１６）を備える取出部（１５）とを設け、上記投入口（１４）の全幅（Ａ）を前記搬送装置（２）の搬送幅より広く形成するとともに、上記取出口（１６）の全幅（Ｂ）を上記投入口（１４）の全幅（Ａ）より広く形成したことを特徴とする。
【００１１】
請求項６に係る発明は、請求項５に係る発明において、前記取出部（１５）は、前記搬送装置（２）の他端で増速搬送する取出搬送部（３２）と、その終端からその左右側方に向かって動作する押出部材（３３）と、それぞれの押出し方向に延びる左右の取出口（３４）とからを形成したことを特徴とする。
【発明の効果】
【００１２】
請求項１に係る発明により、上記搬送装置（２）は、複数の育苗箱を縦長姿勢で並列に搬送する幅寸法に形成するとともに、この幅寸法の範囲を作用幅として上記各作業装置（６，７，８）を構成したことから、上記搬送装置（２）の一端に複列の幅寸法と対応する複数の育苗箱を搬送方向に沿って縦長姿勢で搬送列毎に投入すると、複数の列毎に育苗箱が搬送されるとともに、並列する全幅範囲について育苗箱播種用の作業装置（６，７，８）がそれぞれ作用するので、複雑な構成を要することなく、並列搬送の育苗箱の列毎の簡易な取扱いにより並列して能率良く播種作業を進めることができる。
【００１３】
請求項２に係る発明により、請求項１に係る発明の効果に加え、前記搬送装置（２）は、隣接する搬送列間に育苗箱の搬送ガイド（１２）を備えたことから、これらの搬送ガイド（１２）によって育苗箱が搬送列毎に案内されるので、縦長の姿勢による安定搬送が確保される。
【００１４】
請求項３に係る発明により、請求項１または請求項２に係る発明の効果に加え、前記播種装置（７）は、繰出溝（６９ａ）を形成した播種ローラ（６９）を備えるとともに、その繰出溝（６９ａ）を並列配置の搬送列毎の作用幅に分割形成したことから、列毎の繰出溝（６９ａ）が並列配置の育苗箱別に作用するので、無駄のない播種が可能となる。
【００１５】
請求項４に係る発明により、請求項１から請求項３のいずれかに係る発明の効果に加え、前記床土詰装置（６）および覆土装置（８）は、床土または覆土を供給する給土用の繰出ベルト（５５，８５）を備えるとともに、このベルト（５５，８５）による給土範囲を規制する凸部（５５ａ）を隣接する搬送列間位置に設けたことから、並列配置の列間位置の給土が規制されるので、床土または覆土の作業において、無駄のない給土充填が可能となる。
【００１６】
請求項５に係る発明により、請求項１から請求項４のいずれかに係る発明の効果に加え、前記搬送装置（２）の一端に搬送列毎の投入口（１４）を備える投入部（１３）と、他端に搬送列毎の取出口（１６）を備える取出部（１５）を設け、上記投入口（１４）の全幅（Ａ）を搬送装置（２）の搬送幅より広く形成するとともに、上記取出口（１６）の全幅（Ｂ）を上記投入口（１４）の全幅（Ａ）より広くを形成したことから、投入部（１３）と取出部（１５）について、投入口（１４）の全幅（Ａ）が搬送装置（２）の搬送全幅より広く、さらに取出口（１６）の全幅（Ｂ）が投入口（１４）の全幅（Ａ）より広いので、投入するべき軽量の空の育苗箱および取出すべき重量の大きい播種済みの育苗箱の取扱い負荷に応じた操作スペースが確保されて全体の作業性を向上することができる。
【００１７】
請求項６に係る発明により、請求項５に係る発明の効果に加え、前記取出部（１５）は、前記搬送装置（２）の他端で増速搬送する取出搬送部（３２）と、その終端から左右いずれかの側方に向かって動作する押出部材（３３）と、それぞれの押出し方向に延びる左右の取出口（３４）を形成したことから、播種済みの育苗箱が覆土装置（８）から取出搬送部（３２）によって速やかに引出され、押出部材（３３）によって左右の取出口（３４）に押出されるので、複数作業者による操作スペースの確保によって効率的な取出し操作が可能となる。
【図面の簡単な説明】
【００１８】
【図１】播種機の平面図（ａ）および立面図（ｂ）
【図２】床土詰装置の内部構成の内部構成を表した立面図
【図３】床土繰出ベルトの要部斜視図
【図４】播種装置の内部構成を表した立面図
【図５】種子繰出ローラの要部斜視図
【図６】覆土装置の内部構成を表した立面図
【図７】終端部の要部拡大平面図
【図８】種芋の崩芽処理図
【発明を実施するための形態】
【００１９】
この発明の実施の一形態を、以下に説明する。
播種機１は、図１に平面図（ａ）および立面図（ｂ）を示すように、例えば水稲苗用の矩形の育苗箱を一方向（図例は右方向）に搬送する搬送装置２を備え、この搬送装置２による搬送経路に沿ってその上手端に育苗箱を順次投入するための始端部３と、下手端に播種済みの育苗箱を取出すための終端部４を設け、その間の搬送経路に沿って、播種作業装置として、育苗箱に床土を詰める床土詰装置６と、育苗箱に播種する播種装置７と、育苗箱に覆土する覆土装置８とを配置し、それぞれ脚部２ａ，３ａ，４ａで支持する。
【００２０】
また、床土詰装置６と覆土装置８のそれぞれの出口に逆回転動作する回転ブラシ５ａ，５ａ、また、播種装置７の出口に同様の回転ブラシ５ａと育苗箱に灌水する灌水パイプ５ｂを配置する。各回転ブラシ５ａ…は搬送全幅に作用する長さに形成し、また、灌水パイプ５ｂは、育苗箱の並列配置の搬送列間位置を除いて潅水ノズルを形成する。
【００２１】
（搬送装置）
搬送装置２は、複数の育苗箱を縦長姿勢で並列配置して搬送する複列（図例は２列）分の幅寸法の平ベルトのコンベヤによって構成し、両側板１１，１１と、隣接の搬送列間の搬送ガイド１２とを設けることにより、並列する複数の育苗箱を列毎にガイドしながら搬送する。
【００２２】
（始端部）
始端部３は、床土詰装置６に向かう平行ベルトによる投入コンベヤ１３，１３を並列に構成し、それぞれの始端位置で合流するようにガイドローラ式の複数の投入口１４，１４を付設し、その投入口幅Ａを搬送装置２の全搬送幅より広く構成することにより、空の育苗箱の投入スペースを確保する。
【００２３】
（終端部）
終端部４は、覆土装置８から受ける平ベルトによる取出コンベヤ１５，１５を並列に構成し、その終端から広がるようにガイドローラ式の複数の取出口１６，１６を付設し、その取出口幅Ｂを投入口幅Ａより広く構成することにより、複数作業者による播種済みの育苗箱の取出スペースを確保する。また、取出口１６，１６の後端部に育苗箱の落下防止装置１６ａ，１６ａを設ける。
【００２４】
（床土詰装置）
床土詰装置６は、図２に内部構成を表した立面図を示すように、床土となる培土を貯留する床土タンク５４と、該床土タンク５４内の床土を所定量ずつ繰り出して育苗箱へ落下させて供給する床土繰出具となる床土繰出ベルト５５と、育苗箱上で溢れる床土を均す均平具となる均平ブラシ１９と、育苗箱内に突入して床土を鎮圧する床土鎮圧具となる床土鎮圧ローラ５７とを備え、均平ブラシ１９は床土繰出ベルト５５が床土を供給する床土詰位置の搬送下手側に配置し、床土鎮圧ローラ５７は均平ブラシ１９の搬送下手側に配置し、また、床土繰出ベルト５５上の隙間調節用の調節レバー（不図示）によって床土の繰出量を調節可能に構成する。
【００２５】
床土詰装置６の伝動構成について説明すると、床土繰出モータ２０により床土繰出ベルト５５を駆動し、該床土繰出ベルト５５から歯車伝動機構を介して均平ブラシ１９を駆動する。また、床土詰搬送モータ２１から伝動チェーン５９を介して搬送下手側のローラ６１により床土詰部搬送コンベア１７を駆動する。均平ブラシ１９と床土繰出ベルト５５とを互いに逆方向に回転伝動する。
【００２６】
床土繰出ベルト５５は、図３に要部斜視図を示すように、その給土範囲を規制する凸部５５ａを並列配置の搬送列間位置に設ける。この凸部５５ａによって床土繰出ベルト５５の給土範囲が規制され、並列配置の列間位置Ｃの給土が抑制されることから、床土詰めの作業において、無駄のない給土充填が可能となる。
【００２７】
（播種装置）
播種装置７は、図４に内部構成を表した立面図を示すように、播種する種子（種籾）を貯留する種子タンク６８と、該種子タンク６８内の種子を間欠的に所定量ずつ繰り出して育苗箱へ落下させる複数の繰出溝６９ａ…を外周に所定のピッチで備える種子繰出具となる種子繰出ローラ６９と、該種子繰出ローラ６９の外周面に接触して該種子繰出ローラ６９の繰出溝６９ａ…から溢れる種子を除去する除去ブラシ７０と、種子繰出ローラ６９に臨む種子タンク６８の出口の隙間を調節して種子繰出ローラ６９への種子の供給状態を変更調節する種子供給調節具となる種子供給調節ハンドル７２とを備える。
【００２８】
種子繰出ローラ６９の下方に播種部搬送コンベア１８を配置し、その行程中間を播種位置とするべく、種子繰出ローラ６９の外周部において除去ブラシ７０の位置と播種位置との間の範囲を覆って繰出溝６９ａ…から種子が脱落しないようにガイド体（不図示）を設ける。また、種子繰出ローラ６９は、図５に要部斜視図を示すように、繰出溝６９ａ…を並列配置の搬送列毎の作用幅に左右分割形成することにより、並列配置の搬送列間位置Ｃの播種が規制されて繰出溝６９ａ…が並列配置の育苗箱別に作用することから、無駄のない播種が可能となる。
【００２９】
播種装置７の伝動構成について説明すると、播種モータ６５から伝動チェーン６７を介して種子繰出ローラ６９へ伝動され、また、第一除去チェーン７３及び第二除去チェーン７４を介して除去ブラシ７０へ伝動され、さらに伝動チェーン７１を介して播種部搬送コンベア１８の搬送下手側のローラ７５へ伝動し、該搬送下手側のローラ７５から伝動チェーン７７を介して搬送上手側のローラ７６へ伝動する。第一除去チェーン７３と伝動チェーン７１を側面視で交差するように巻き掛け伝動することにより、種子繰出ローラ６９の回転方向に対して除去ブラシ７０及び播種部搬送コンベア１８を逆方向に回転させる。
【００３０】
（覆土装置）
覆土装置８は、図６に内部構成を表した立面図を示すように、覆土となる培土を貯留する覆土タンク８４と、該覆土タンク８４内の覆土を所定量ずつ繰り出して育苗箱へ落下させる覆土繰出具となる覆土繰出ベルト８５と、育苗箱上で溢れる覆土を均す均平具となる均平板８６と、覆土繰出ベルト８５上の隙間を調節して覆土の繰出量を変更調節する覆土量調節具となる覆土量調節レバー（不図示）とを備える。
【００３１】
覆土繰出ベルト８５の下方に覆土部搬送コンベア２８を配置してその搬送行程上に覆土位置を定め、覆土繰出ベルト８５が覆土を供給する覆土位置の搬送下手側に均平板８６を配置する。覆土繰出ベルト８５は、床土繰出ベルト５５と同様に、給土範囲を規制する凸部（不図示）を並列配置の育苗箱の搬送列間位置に設けることにより、覆土作業において、無駄のない給土充填が可能となる。
【００３２】
覆土装置８の伝動構成について説明すると、覆土モータ７８により覆土繰出ベルト８５を駆動し、また、伝動チェーン８０を介して覆土部搬送コンベア２８の搬送下手側のローラ８１へ伝動し、該搬送下手側のローラ８１から伝動チェーン８３を介して搬送上手側のローラ８２へ伝動する。伝動チェーン８０は側面視で交差するように巻き掛け伝動することにより、覆土繰出ベルト８５と覆土部搬送コンベア２８とを互いに逆方向に回転させる。
【００３３】
上記構成の播種機１は、一人の作業者が、搬送装置２の一端の投入口１４，１４から２つの空の育苗箱を搬送方向に沿って縦長姿勢で連続して並列に投入することにより、左右並列の育苗箱が一体的に搬送されるとともに、その全幅の範囲について育苗箱播種用の作業装置６，７，８が作用して床土を詰め、播種し、覆土し、この播種済みの育苗箱を他端の取出口１６，１６から二人の作業者が連続して取出すことにより、複雑な取扱いおよび複雑な構成を要することなく、並列する複数の育苗箱の一体的な取扱いによって能率良く播種作業を進めることができる。
【００３４】
（別構成例）
次に、別構成例による終端部ついて説明する。
終端部３１は、図７に要部拡大平面図を示すように、覆土装置８の出口で増速搬送する取出搬送部３２と、その終端からその左右側方に向かって動作する押出部材３３，３３と、それぞれの押出し方向に延びる左右の取出口３４，３４とによって構成する。押出部材３３，３３に臨む位置には、播種済みの育苗箱を受けるボールコンベヤ３５，３５を配置し、到達した育苗箱をそれぞれの取出口３４，３４の方向に押出すようにセンサ３３ａ，３３ａによって押出部材３３，３３を動作させる。
【００３５】
上記構成の終端部３１は、重量が大なる播種済みの育苗箱を覆土装置８から取出搬送部３２が速やかに引入れ、押出部材３３，３３が左右の取出口３４，３４に育苗箱を順次押出すことから、複数作業者による操作スペースの確保によって効率的な取出し操作が可能となる。
【００３６】
（甘藷苗）
次に、甘藷苗の育苗方法について説明する。
甘藷苗の育苗は、図８に種芋の崩芽処理図を示すように、種芋９０から萌芽した芋苗を通常の大きさまで育てた上で、下位線Ａで一斉に切取り、その中で中位線Ｂで切揃えて苗丈Ｈが１５ｃｍまでの苗９１を一次苗として形成する。この一次苗は、苗丈が１５ｃｍ以下で裸苗状を呈し、これを一般的な甘藷苗移植機によって植付けを行い、残りは、苗丈が低い外周部の苗９２を二次苗としてセルに挿して育苗し、また、節を含む内周部の苗９３を三次苗としてセルに挿して育苗し、それぞれ育苗後に植付けを行う。
【００３７】
上記育苗方法により、種芋９０から発生する小さな崩芽苗および節芽苗を無駄なく使用して多数の苗を得ることができて、作付規模の拡大に対応することができる。
【符号の説明】
【００３８】
１      播種機
２      搬送装置
３      始端部
４      終端部
６      床土詰装置（作業装置）
７      播種装置（作業装置）
８      覆土装置（作業装置）
１２    搬送ガイド
１３    投入コンベヤ
１４    投入口
１５    取出コンベヤ
１６    取出口
３１    終端部
３２    取出搬送部
３３    押出部材
３４    取出口
５５    床土繰出ベルト
５５ａ  凸部
６９    種子繰出ローラ
６９ａ  繰出溝
８５    覆土繰出ベルト
Ａ      投入口幅
Ｂ      取出口幅
Ｃ      列間位置
【図１】
2013110984.tif 000003
【図２】
2013110984.tif 000004
【図３】
2013110984.tif 000005
【図４】
2013110984.tif 000006
【図５】
2013110984.tif 000007
【図６】
2013110984.tif 000008
【図７】
2013110984.tif 000009
【図８】
2013110984.tif 000010